(57)【特許請求の範囲】
【請求項１】
ナビゲーション装置と近距離無線通信を行う通信部と、
前記通信部が前記ナビゲーション装置から受信した位置データと、この位置データに対応する電話番号とを関連付けて電話帳情報として登録する情報登録部と、
前記電話帳情報を活用して電話の発信、着信に対応できるように構成された無線電話基本部とを備え、
前記無線電話基本部は、前記電話帳情報を検索するための位置データを前記通信部が前記ナビゲーション装置から受信したとき、この位置データと、前記電話帳情報に含まれる位置データとのマッチングにより前記電話帳情報を検索する
ことを特徴とする無線電話装置。
【請求項２】
撮像手段をさらに備え、前記通信部は、前記撮像手段が撮像した映像を前記ナビゲーション装置に送信する
ことを特徴とする請求項１記載の無線電話装置。
【請求項３】
情報保持手段をさらに備え、前記通信部は、前記情報保持手段に保持され前記無線電話装置に着呼を知らせる着信音データを前記ナビゲーション装置に送信する
ことを特徴とする請求項１記載の無線電話装置。
【請求項４】
地図情報を記憶する記憶部と、前記地図情報に基づいて地図を表示する表示部と、現在位置を算出する位置算出部と、キー入力部と、前記キー入力部によって入力された表示位置を算出する表示位置算出部と、前記位置算出部で算出された前記現在位置および前記表示位置を表わす位置データのうち少なくとも一方を無線電話装置に送信し、この位置データと、この位置データに対応する電話番号とを関連付けて電話帳情報として登録した情報を前記無線電話装置から受信する通信部と、前記無線電話装置より受信した情報に基づいてその情報を前記表示部に表示する手段とを備え、
前記通信部は、前記電話帳情報を検索するための位置データを前記無線電話装置に送信し、この位置データと、前記電話帳情報に含まれる位置データとを前記無線電話装置がマッチングして前記電話帳情報から検索した位置データを前記無線電話装置から受信し、
前記表示部は、この検索された位置データを表示する
ことを特徴とするナビゲーション装置。
【発明の詳細な説明】
【０００１】
【発明の属する技術分野】
本発明は、自動車などの移動体に搭載されるナビゲーション装置と、このナビゲーション装置に対し狭域無線で通信可能な無線電話装置とで構成されるナビゲーションシステムに関する。
【０００２】
【従来の技術】
一般に、ナビゲーションシステムは、自動車などの移動体に搭載され使用されるように構成されており、現在位置と目的地を設定すると、表示部に表示される地図上に現在位置から目的地までの案内ルートが明示され、この明示された案内ルートに従って自動車などを運転すれば、それだけで目的地に到達できるように構成されている。
【０００３】
ところで、この場合、現在位置は、ＧＰＳ等を用いて自動的に設定できるが、目的地はいちいち地図を表示し、その地図上で設定する必要があり、非常に面倒なものであった。そして、目的地を入力する場合には、必ず、ナビゲーション装置が存在する自動車などの移動体まで足を運び、そこでナビゲーション装置に電源を入れ、目的地を入力しなければならないと言う問題があった。
【０００４】
そのため、これを解決する手段として、特開平９―１５９４７１号公報に見られるように、予め、パソコン装置を使用して現在位置から目的地までの案内ルートを設定し、その設定を、ナビゲーション装置を無線で遠隔操作するリモコン装置等の無線装置に登録し、前記無線装置より前記ナビゲーション装置に対して前記現在位置から前記目的地までの案内ルートを転送し、前記ナビゲーション装置に前記案内ルートを設定すると言うものが知られている。
【０００５】
【発明が解決しようとする課題】
しかしながら、前記特開平９―１５９４７１号公報に記載されているものは、あくまでも、パソコン装置などを使用するものであり、また、無線装置も単にパソコン装置等で設定された案内ルートを前記ナビゲーション装置に転送するというだけのものであり、いわゆる、ナビゲーション装置専用のものであって、汎用性のあるものではなかった。
【０００６】
本発明は、以上のような従来の問題を解決するものであり、ナビゲーション装置と携帯電話機などの無線電話装置との間を無線で通信可能とし、専用のリモコン装置等を使用することなく、ナビゲーション装置を有効に活用できる優れたナビゲーションシステムを提供することを目的とするものである。
【０００７】
【課題を解決するための手段】
本発明の無線電話装置は、ナビゲーション装置と近距離無線通信を行う通信部と、通信部がナビゲーション装置から受信した位置データと、この位置データに対応する電話番号とを関連付けて電話帳情報として登録する情報登録部と、電話帳情報を活用して電話の発信、着信に対応できるように構成された無線電話基本部とを備え、無線電話基本部は、電話帳情報を検索するための位置データを通信部がナビゲーション装置から受信したとき、この位置データと、電話帳情報に含まれる位置データとのマッチングにより電話帳情報を検索する構成を有している。
【０００８】
このことによって、無線電話装置には、位置データが本来電話のために使用される電話番号、名称などの電話帳情報と関連付けて登録されることになり、電話番号、名称等で直接位置データを設定することができ、またナビゲーション装置から送られた位置データと、電話帳情報にあらかじめ登録されている位置データとのマッチングにより電話番号や名称等を検索できるという作用を有する。
【００１０】
また、本発明の無線電話装置は、撮像手段をさらに備え、通信部は、撮像手段が撮像した映像をナビゲーション装置に送信する構成を有する。
【００１１】
これにより、撮像手段で撮影した映像もナビゲーション装置に伝送でき、撮像手段で撮影した映像を目的地、経由地の主な目印や起動画面や自車位置マークとして有効に利用することができる。
【００１２】
また、本発明の無線電話装置は、情報保持手段をさらに備え、通信部は、情報保持手段に保持され無線電話装置に着呼を知らせる着信音データをナビゲーション装置に送信する構成を有する。
【００１３】
これにより、着信音データもナビゲーション装置に伝送でき、着信音を目的地到着報知やナビゲーション効果音に利用することができる。
【００１４】
さらに、本発明のナビゲーション装置は、地図情報を記憶する記憶部と、地図情報に基づいて地図を表示する表示部と、現在位置を算出する位置算出部と、キー入力部と、キー入力部によって入力された表示位置を算出する表示位置算出部と、位置算出部で算出された現在位置および表示位置を表わす位置データのうち少なくとも一方を無線電話装置に送信し、この位置データと、この位置データに対応する電話番号とを関連付けて電話帳情報として登録した情報を無線電話装置から受信する通信部と、無線電話装置より受信した情報に基づいてその情報を表示部に表示する手段とを備え、通信部は、電話帳情報を検索するための位置データを無線電話装置に送信し、この位置データと、電話帳情報に含まれる位置データとを無線電話装置がマッチングして電話帳情報から検索した位置データを無線電話装置から受信し、表示部は、この検索された位置データを表示する構成を有している。
【００１５】
これにより、ナビゲーション装置から通信部を介して受信した位置情報に基づき、情報データベースより入手した近隣情報を通信部を介してナビゲーション装置に伝送でき、求める近隣のリアルタイムな情報を入手することができる。
【００１６】
【発明の実施の形態】
以下、本発明の実施の形態について、図面を用いて説明する。
【００１７】
（第１の実施の形態）
図１は、本発明の実施の形態におけるナビゲーションシステムの概略ブロック図である。図１において、ナビゲーションシステムは、自動車などの移動体に対して固定的に搭載されるナビゲーション装置１２と、持ち歩き可能で、一般の無線電話回線を通して電話をかけることのできる携帯無線電話機などの無線電話装置１５より構成されている。
【００１８】
ナビゲーション装置１２は、ＧＰＳ装置、自立航法などの情報に基づいて現在位置データを算出する位置算出部１２５と、この位置算出部１２５によって算出された現在位置データに基づいて、現在位置及びその周辺の地図、並びにその他の情報を表示する表示部１３５と、地図やその他の情報を記憶、保持する記憶部１３０と、装置の操作や情報を入力するために用いられるキー入力部１１７と、キー入力部１１７によって表示部１３５で表示された地図上で目的とする位置等を指定すると、その位置の位置データを算出する表示位置算出部１１５と、無線電話装置１５との間でＢｌｕｅｔｏｏｔｈ信号の様な微弱電波または赤外線通信の様な光通信によって、たとえば、半径３０ｍ程度の範囲の近距離で機器間通信を行なうナビ−外部機器間狭域通信部１４５と、各種案内を音、音声で行なうためのスピーカ１１９と、これらをそれぞれ制御する制御部１２０とを備えている。
【００１９】
そして、無線電話装置１５は、通常の無線基地局（図示せず）を通して無線電話通信を行なうことができる無線電話基本部１５０と、ナビゲーション装置１２との間でＢｌｕｅｔｏｏｔｈ信号の様な微弱電波または赤外線通信の様な光通信によって機器間通信を行なう電話−ナビ間狭域通信部１５５と、無線電話基本部１５０が取得した各種情報を登録保持する情報登録部１４０と、画像を撮影するカメラ１６０とを備えている。
【００２０】
次に、図１を用いて本発明の第１の実施の形態におけるナビゲーションシステムの動作を説明する。
【００２１】
最初に、位置データの登録動作を説明する。
【００２２】
診療所や、店、個人宅等の電話番号と対応して、保存しておきたい場所があるとき、キー入力部１１７を操作し、保存したい場所を含むエリアの地図を表示部１３５に表示する。そして、この状態で、キー入力部１１７の操作によりカーソルを保存したい場所に合わせ、表示位置算出部１１５でその場所の位置データを算出する。現在位置を保存したいときは、キー入力部１１７を操作し、位置算出部１２５により現在位置データを算出する。
【００２３】
キー入力部１１７を操作し、ナビ−外部機器間狭域通信部１４５より、無線電話装置１５に向けて、取得した位置データを送信する。無線電話装置１５の電話−ナビ間狭域通信部１５５が、ナビゲーション装置より位置情報を受信すると、それを無線電話基本部１５０に渡す。
【００２４】
無線電話基本部１５０は、受信した位置データと、あらかじめ入力してある管理番号、電話番号、店等の名称、氏名、メールアドレス、ホームページのアドレス（ＵＲＬ）などとを関連づけて電話帳情報として情報登録部１４０に登録保存する。
【００２５】
次に、位置データによる電話帳情報の検索を説明する。
【００２６】
診療所や、店、個人宅等の電話帳情報を検索したい場所があるとき、キー入力部１１７を操作し、表示部１３５に保存したい場所を含むエリアの地図を表示する。そして、この状態で、キー入力部１１７の操作によりカーソルを保存したい場所に合わせ、表示位置算出部１１５でその場所の位置データを算出する。現在位置より電話帳情報を検索したいときは、キー入力部１１７を操作し、位置算出部１２５により現在位置データを算出する。
【００２７】
キー入力部１１７を操作し、ナビ−外部機器間狭域通信部１４５より、無線電話装置１５に向けて、取得した位置データを送信する。無線電話装置１５の電話−ナビ間狭域通信部１５５が、ナビゲーション装置より位置情報を受信すると、それを無線電話基本部１５０に渡す。
【００２８】
無線電話基本部１５０は、受信した位置データと、あらかじめ情報登録部１４０に登録保存してある電話帳情報の中の位置データとを比較し、最もマッチング度の高い位置データに対応する管理番号、電話番号、店等の名称、氏名などを選定する。
【００２９】
次に、位置データの呼び出し動作を説明する。
【００３０】
利用者は、無線電話装置１５を持って、ナビゲーション装置１２を搭載した車両に搭乗する。情報登録部１４０には、先に説明したように、あらかじめ、位置データが、管理番号、電話番号、名称、氏名等と関連付けられて電話帳情報として登録されているので、無線電話装置１５の無線電話基本部１５０によって、これらのいずれかを指定することにより、情報登録部１４０より選択された経路案内を希望する名称に関連づけられて登録保存されている位置データを、電話−ナビ間狭域通信部１５５から送信する。
【００３１】
電話−ナビ間狭域通信部１５５が送信した位置データはナビ−外部機器間狭域通信部１４５で受信され、記憶部１３０に地点登録される。また、受信した位置データに基づいて、制御部１２０は、記憶部１３０に記憶保存されている地図情報から対応する地図とその位置を表示部１３５に表示し、案内する。
【００３２】
また、無線電話基本部１５０が保持する携帯電話着信音データやカメラ１６０が撮影した顔写真や地点風景などの画像データも電話−ナビ間狭域通信部１５５からナビゲーション装置１２のナビ−外部機器間狭域通信部１４５に送信され、記憶部１３０に記憶保存される。したがって、これらの携帯電話着信音を位置情報と関連づけて記録保存することで、自車位置が目的地などの登録地点に近づいたら知らせるために利用したり、右左折の案内時の注意音やナビゲーションの起動音としてスピーカ１１９から出力したり、カメラ１６０で撮影した顔写真や地点風景などの画像を中継地点や目的地などの地点風景画像として表示部１３５で表示したり、ナビゲーション装置の起動画面や自車位置マークに利用することができる。
【００３３】
以上の様に、本実施の形態では、ナビゲーション装置が位置データを無線電話装置に送信し、無線電話装置がその位置データを受信して電話番号等と関連づけて登録保存したり、検索したりできるので、無線電話装置を持って、ナビゲーション装置を搭載した他の車両に搭乗したときにも、あらかじめ無線電話装置に登録してある場所の位置データを有効に利用することができ、一度設定した目的地などを容易にナビゲーション装置に設定できるという効果を有する。
【００３４】
そして、無線電話装置が保持する携帯電話着信音データや画像データもナビゲーション装置に転送できるので、無線電話装置が保持するそれらのデータや画像をナビゲーション装置で位置情報と関連づけて表示したりスピーカから出力したり、ナビゲーション装置の効果音や起動画面などに有効に利用できる。
【００３５】
なお、上記の実施の形態では、ナビゲーション装置を移動体に対して固定的に搭載されるナビゲーション装置の場合について説明したが、本発明は、移動体に固定的に搭載されるものに限定されることなく、ポータブル型のナビゲーション装置でも同様の効果が得られる。また、移動体を車両の場合で説明したが、本発明は車両に限定されることなく、船舶や航空機などの移動体でも同様の効果が得られる。
【００３６】
（第２の実施の形態）
図２は、本発明の実施の形態におけるナビゲーションシステムの概略ブロック図である。図２において、ナビゲーションシステムは、車両に対して固定的に搭載されるナビゲーション装置１２と、持ち歩き可能な無線電話装置１５とから成っており、それらの装置間は機器間通信によって接続されている。
【００３７】
無線電話装置１５は、現在位置をカバーする基地局３８０と無線電話の交信を行ない、ネットワーク３８５を介して各種の情報データベース３９０から必要な情報を取得する無線電話基本部１５０を備えている。その他の点は、第１の実施の形態と同じであるので、前記異なる点を中心に説明する。
【００３８】
図２において、位置算出部１２５が、ＧＰＳ装置や自立航法によって、車両の現在位置を検出し、これに基づいて位置データを算出し、ナビ−外部機器間狭域通信部１４５を通して、無線電話装置１５の電話−ナビ間狭域通信部１５５に送信する。
【００３９】
無線電話基本部１５０は、電話−ナビ間狭域通信部１５５を通して位置データと無線電話基本部１５０自らが有する時刻情報とを、基地局３８０およびネットワーク３８５を経由してインターネット上の情報データベース３９０に伝送する。
【００４０】
尚、インターネット上の情報データベース３９０へのアクセスは、情報登録部１４０に予め登録してあるインタネットプロバイダーの電話番号を用いて発呼し、ネットワーク３８５を経由してインターネット上の情報データベース３９０にアクセスすればよい。
【００４１】
このようにして、インターネット上の情報データベース３９０にアクセスし、情報データベース３９０より必要な情報を入手した場合、それをナビゲーション装置１２に伝送して有効に利用することができる。
【００４２】
すなわち、先に電話−ナビ間狭域通信部１５５を通して受信した位置データと、無線電話基本部１５０より取得した時刻情報と、更に、インターネット上の情報データベース３９０より得た情報を利用することにより、たとえば、次のようなことを行なうことができる。
【００４３】
インターネット上の情報データベース３９０よりガソリンスタンドといった検索キーワードによって、現在位置の近くで、現在営業中のガソリンスタンドを検索すると、無線電話基本部１５０は、前記インターネット上の情報データベース３９０よりガソリンスタンド情報を基地局３８０を介して取得する。
【００４４】
そして、取得したガソリンスタンド情報は、無線電話基本部１５０より電話−ナビ間狭域通信部１５５を介してナビゲーション装置１２のナビ−外部機器間狭域通信部１４５に送信され、ナビゲーション装置１２のナビ−外部機器間狭域通信部１４５で受信される。受信されたガソリンスタンド情報は記憶部１３０に記憶、保持されると共に、そのガソリンスタンド情報に基づいて、記憶部１３０が記憶、保持している地図情報に重ねて、車両の現在位置、ならびに、ネットワークを介して得られた現在営業中のガソリンスタンド位置を表示部１３５に表示する。
【００４５】
以上の説明のように、本発明の第２の実施の形態におけるナビゲーションシステムは、ナビゲーション装置が現在位置の位置データを無線電話装置に機器間送信し、無線電話装置は現在位置データをナビゲーション装置から受信して、時刻情報とともに基地局とネットワークを介して、インターネット上の情報データベースからリアルタイムな情報を取得でき、それを無線電話装置からナビゲーション装置に機器間送信して、記憶部の地図とともに表示部に表示することができる。
【００４６】
なお、この実施の形態では、現在営業中のガソリンスタンドをインターネットで検索する場合で説明したが、本発明は時刻が現在に限定されることなく、他の時刻でも、また、情報が営業時間に限定されることなく、他の情報でも、また、業様がガソリンスタンドに限定されることなく、他の業種でも、データベースの検索がインターネット接続に限定されることなく、他の検索方法でも、同様の効果が得られる。
【００４７】
【発明の効果】
以上説明したように、本発明の無線電話装置は、ナビゲーション装置と近距離無線通信を行う通信部と、通信部がナビゲーション装置から受信した位置データと、この位置データに対応する電話番号とを関連付けて電話帳情報として登録する情報登録部と、電話帳情報を活用して電話の発信、着信に対応できるように構成された無線電話基本部とを備え、無線電話基本部は、電話帳情報を検索するための位置データを通信部がナビゲーション装置から受信したとき、この位置データと、電話帳情報に含まれる位置データとのマッチングにより電話帳情報を検索する構成を有している。
また、本発明のナビゲーション装置は、地図情報を記憶する記憶部と、地図情報に基づいて地図を表示する表示部と、現在位置を算出する位置算出部と、キー入力部と、キー入力部によって入力された表示位置を算出する表示位置算出部と、位置算出部で算出された現在位置および表示位置を表わす位置データのうち少なくとも一方を無線電話装置に送信し、この位置データと、この位置データに対応する電話番号とを関連付けて電話帳情報として登録した情報を無線電話装置から受信する通信部と、無線電話装置より受信した情報に基づいてその情報を表示部に表示する手段とを備え、通信部は、電話帳情報を検索するための位置データを無線電話装置に送信し、この位置データと、電話帳情報に含まれる位置データとを無線電話装置がマッチングして電話帳情報から検索した位置データを無線電話装置から受信し、表示部は、この検索された位置データを表示する構成を有している。
無線電話装置には、位置データが本来電話のために使用される電話番号、名称などの電話帳情報と関連づけて登録されることになり、電話番号、名称等で直接位置データを設定することができ、また、ナビゲーション装置から送られた位置データと、電話帳情報に関連づけられて登録されている位置データとのマッチングにより、電話番号や名称等を検索できるというすぐれた効果を有する無線電話装置を提供することができる。
さらに、この検索された位置データを表示することができるというすぐれた効果を有するナビゲーション装置を提供することができる。
【図面の簡単な説明】
【図１】本発明の第１の実施の形態におけるナビゲーションシステムの具体構成を示すブロック図
【図２】本発明の第２の実施の形態におけるナビゲーションシステムの具体構成を示すブロック図
【符号の説明】
１２  ナビゲーション装置
１５  無線電話装置
１１５  表示位置算出部
１１７  キー入力部
１１９  スピーカ
１２０  制御部
１２５  位置算出部
１３０  記憶部
１３５  表示部
１４０  情報登録部
１４５  ナビ−外部機器間狭域通信部
１５０  無線電話基本部
１５５  電話−ナビ間狭域通信部
１６０  カメラ
３８０  基地局
３８５  ネットワーク
３９０  情報データベース
【図１】
0004228561.tif 000002
【図２】
0004228561.tif 000003